(57)【要約】【課題】    回転モーターを用いない回転灯を提供する。【解決手段】    本発明の回転灯１は、発光面ｆを形成する複数の発光ダイオード１０が植設された円形基板１１を具備する発光装置２と、その発光装置２に載置された透明材料からなる支持円筒３とを備えている。さらに、透明な支持円筒３の上部には、縦断面がほぼＶ字状の逆円錐形状の透明反射体５が被着されている。この透明反射体５の側周面５１は、発光面ｆの光が入射する環状入射面５１ａと、この環状入射面５１ａに対して垂直に連成する帯状放射面５１ｂとで構成され、全体として階段状となっている。一方、傾斜上面５２は、前記環状入射面５１ａに対して４５度の角度で中心Ｏに向かって下方傾斜している。そして、発光部分を発光面ｆ上で回転表示することにより、透明反射体５内で発光部分が回転しているように見える。【選択図】図１
2005044738.tif 000002
【特許請求の範囲】
【請求項１】
上方に光を発する複数の発光ダイオードが植設されてなる発光面と、前記複数の発光ダイオードのうち、所定の発光ダイオードを順次点灯・消灯制御して、発光部分を発光面上で回転表示する発光制御手段とからなる発光装置と、
前記発光面の上方に位置し、縦断面がほぼＶ字状の逆錐形状であって、その側周面が、前記発光面と平行で発光面の光がほぼ垂直に入射する環状入射面と、該環状入射面に対して垂直な帯状放射面とが交互に連成されて階段状となっていると共に、その傾斜上面が、前記環状入射面に対して所定角度で傾斜した、透明材からなる透明反射部とを備えたことを特徴とする回転灯。
【請求項２】
透明反射部の傾斜上面が、入射面に対してほぼ４５度の角度で傾斜していることを特徴とする請求項１記載の回転灯。
【請求項３】
透明反射部が、縦断面がほぼＶ字状である逆錐型の透明反射体により構成され、該透明反射体が、発光ダイオードが植設されてなる発光面を囲繞する、垂直に立設した透明材からなる支持筒の上端に脱着可能に被着されてなることを特徴とする請求項１又は請求項２記載の回転灯。
【請求項４】
透明反射部が、ほぼ逆円錐形状である請求項１乃至請求項３のいずれかに記載の回転灯。
【発明の詳細な説明】
【技術分野】
【０００１】
本発明は、歩行者や作業者等に注意を促す回転灯に関するものである。
【背景技術】
【０００２】
一般的に良く用いられる回転灯は、光源に白熱電球を使用し、この光源の周囲でテーパー状の反射板を回転させて、反射光を周囲に放射する構成である。また、この白熱電球を用いた構成は短期に電球が切れるという問題があるため、珠切れがなく、かつ消費電力が少ない発光ダイオードを用いた構成も提案されている（例えば、特許文献１参照）。
【０００３】
【特許文献１】特開２００２−１６３９０３号公報
【発明の開示】
【発明が解決しようとする課題】
【０００４】
しかしながら、上述の白熱電球を用いた構成や発光ダイオードを用いた構成は、その光源の周囲でテーパー環状反射器を回転させる構成であるから、反射器用の回転モーターを別途備える必要がある。そして、この回転モーターを駆動させるためには相当の電力を要する。このため、結局、発光ダイオードを用いても消費電力の低減化には限界があり、さらに回転灯の軽量化も困難である。
【０００５】
そこで、本発明は、かかる問題点を解決し得る回転灯を提供することを目的とする。
【課題を解決するための手段】
【０００６】
本発明は、上方に光を発する複数の発光ダイオードが植設されてなる発光面と、前記複数の発光ダイオードのうち、所定の発光ダイオードを順次点灯・消灯制御して、発光部分を発光面上で回転表示する発光制御手段とからなる発光装置と、前記発光面の上方に位置し、縦断面がほぼＶ字状の逆錐形状であって、その側周面が、前記発光面と平行で発光面の光がほぼ垂直に入射する環状入射面と、該環状入射面に対して垂直な帯状放射面とが交互に連成されて階段状となっていると共に、その傾斜上面が、前記環状入射面に対して所定角度で傾斜した、透明材からなる透明反射部とを備えたことを特徴とする回転灯である。
【０００７】
かかる構成にあって、発光面の発光部分から上方に発せられた光は、上方に位置する透明反射部の環状入射面に入射することとなる。さらに、この透明反射部は透明材料からなるため、前記入射光は減衰することなく、環状入射面に入射した後、透明反射部内を上方に直進することとなる。そして、かかる入射光は、透明反射部の傾斜上面に達する。ここで、傾斜上面は境界面として作用するため、かかる入射光は、傾斜上面でその傾斜角度に応じて外方向へ反射し、この反射光が、今度は透明反射部内を外方に向かって直進することとなる。そして、かかる反射光が、環状入射面と垂直に連成する帯状放射面から透明反射部外へ放射され、視認可能となる。
【０００８】
ここで、発光面の発光部分は、発光面内で回転表示されているため、かかる回転に応じて、帯状放射面から放射される光も帯状放射面に沿って回転して観察されることとなる。したがって、本発明にかかる構成によれば、透明反射部内で発光部分が回転しているように視認させることが可能となる。ところで、本発明は、従来構成に備えられていた回転モーターが不要となるため、消費電力は大幅に低減化されると共に、軽量化も実現できる。
【０００９】
ここで、透明反射部の傾斜上面が、入射面に対してほぼ４５度の角度で傾斜している構成が提案される。
【００１０】
かかる構成とすることにより、入射光がほぼ９０度で反射して帯状放射面から放射されることとなる。これにより、光が屈折等して減衰することを抑制することができ、回転灯の視認性が向上することとなる。
【００１１】
また、透明反射部が、縦断面がほぼＶ字状である逆錐型の透明反射体により構成され、該透明反射体が、発光ダイオードが植設されてなる発光面を囲繞する、垂直に立設した透明材からなる支持筒の上端に脱着可能に被着されてなる構成としても良い。
【００１２】
かかる構成にあっては、色や形状が異なる透明反射体に交換することにより、透明反射体の色等を容易に変更することが可能となり、反射光の見え方を変化させて、様々な点灯態様とすることが可能となる。
【００１３】
なお、透明反射部の形状としては、ほぼ逆円錐形状である構成が好適である。
【００１４】
かかる構成とすることにより、放射光が、透明反射部の外形の円弧に沿って回転して観察されることとなり、回転灯としての視認性、美感性が向上することとなる。
【発明の効果】
【００１５】
本発明の回転灯は、縦断面がほぼＶ字状の逆錐形状であって、その側周面が階段状となっていると共に、その傾斜上面が所定角度で傾斜した透明反射部を備えた構成としたから、発光面の発光部分から上方に発せられた光が、透明反射部の傾斜上面の傾斜角度に応じて外方向へ反射されることとなり、発光面での発光部分の回転に応じて、帯状放射面に沿って光が回転するように観察されることとなる。すなわち、光を回転させるために従来構成では必要不可欠であった反射板用の回転モーターが使用せずに、透明反射部内で発光部分が回転しているように視認させることが可能となる。したがって、回転灯の消費電力が大幅に低減化されると共に、回転灯は大幅に軽量化される優れた効果が生ずる。また、発光ダイオードを用いた構成であるから、消費電力も少なく、球切れの問題も生じない。
【００１６】
また、透明反射部の傾斜上面が、環状入射面に対してほぼ４５度の角度で傾斜している構成とした場合は、帯状放射面から放射される光が、入射光に対してほぼ９０度で発せられることとなって光が減衰することがないため、回転灯の視認性が向上する効果がある。
【００１７】
また、透明反射部が、透明反射体により構成され、該透明反射体が、支持筒の上端に脱着可能に被着されてなる構成とした場合は、例えば色や形状が異なる透明反射体に適宜交換することが可能となり、様々な点灯態様が実現できることになるから、回転灯の設置場所ごとに適切な点灯態様を選択できることとなる。これにより、汎用性が増す利点がある。
【００１８】
なお、透明反射部の形状を、ほぼ逆円錐形状とした場合は、視認される光が、透明反射部の外形の円弧に沿って回転して観察されることとなるため、視認性、美感性を向上させることが可能となる。
【発明を実施するための最良の形態】
【００１９】
本発明にかかる回転灯１は、図１から図３に示されるように、円柱状の発光装置２と、その上部に取付けられた、発光装置２とほぼ同じ外径の支持円筒３と、支持円筒３の上端に被着されて、支持円筒３内に尖頭部が位置するほぼ逆円錐型の透明反射体５と、透明反射体５上に取付けられた赤色透明のドーム型ランプカバー４とで構成されている。以下、各構成ごとに説明する。
【００２０】
まず、発光装置２について説明する。
発光装置２の内部は、図１に示されるように、概ね三層構造となっている。最上層には、赤色の発光ダイオード１０が複数植設された円形基板１１が水平に配設され、発光ダイオード１０から発する光が鉛直上方に照射されるようになっている。次に、中層には、前記発光ダイオード１０の点灯・消灯を制御するためのＣＰＵ等が実装されたプリント基板１３が内蔵されている。そして、最下層には、発光ダイオード１０を発光させるための乾電池を収納する電池ボックス１４が内蔵されている。また、発光装置２の裏面には、図３に示されるように、弾性材料からなる支持部６，６，６と主電源スイッチ７が配設されている。
【００２１】
ここで、図４に示されるように、発光ダイオード１０が植設された円形基板１１にあっては、６個の発光ダイオード１０が三角形状に配列されて一組の発光ダイオード群１２を構成し、そしてさらに六組の発光ダイオード群１２が円形基板１１上で放射状に配列されて、発光面ｆ（図１，４参照）が形成されている。そして、発光装置２の主電源スイッチ７をＯＮとすると、プリント基板１１に実装されたＣＰＵが、所定の発光ダイオード１０を順次点灯・消灯制御して、一組の発光ダイオード群１２（発光部分）を発光面ｆ上で連続して回転表示するようにしている（図５イ→ロ→ハ→ニ→ホ→ヘ）。なお、プリント基板１３と、このプリント基板１３に実装されるＣＰＵ等の実装部品と、乾電池が収納された電池ボックス１４とにより、本発明にかかる発光制御手段が構成される。
【００２２】
次に、支持円筒３について説明する。
支持円筒３は、図１，図６に示されるように、前記発光装置２の上端部に載置され、発光装置２にねじ（図示省略）止めされて固定されている。この支持円筒３は、筒の内部を視認可能とするために無色透明のプラスチック材料からなり、前記円形基板１１を囲繞するように垂直に立設している。
【００２３】
一方、最上位置のランプカバー４は、支持円筒３上に被着された後述する透明反射体５の上端縁に載置されて、この透明反射体５にねじ（図示省略）止めされて固定されている。このランプカバー４は、公知の物が好適に用いられる。
【００２４】
次に、本発明の要部である透明反射体８について説明する。
透明反射体５は、無色透明のプラスチック材料からなり、図６から図９に示されるように、縦断面がほぼＶ字状の逆円錐型であって、下方にいくほど縮径した尖頭部を備えている。さらに詳述すると、発光面ｆに対面する透明反射体５の側周面５１は、前記発光面ｆと平行な複数の環状入射面５１ａと、この環状入射面５１ａに対して垂直な複数の帯状放射面５１ｂとで構成されている。
【００２５】
ここで、環状入射面５１ａは、図９に示されるように、透明反射体５の径方向に沿って多重に形成されている。これに対し、帯状放射面は５１ｂは、図７に示されるように、透明反射体５の高さ方向に沿って層状に形成されている。そして、各環状入射面５１ａの外縁が前記帯状放射面５１ｂの下縁と連成し、環状入射面５１ａの内縁が帯状放射面５１ｂの上縁と連成することにより、側周面５１が、全体として階段状となっている。
【００２６】
一方、ランプカバー４に対面する透明反射体５の傾斜上面５２は、図６，８に示されるように、環状入射面８ａに対して、ほぼ４５度の角度で中心Ｏに向かって下方傾斜している。なお、図８にあって、透明反射体５は透明材料からなるため、傾斜上面５２側から、環状入射面５１ａと帯状入射面５１ｂとの連成縁ｋが視認できる。
【００２７】
そして、この透明反射体５が、図６に示されるように、支持円筒３の上端に嵌着されて固定される。ここで、透明反射体５は、手作業により容易に支持円筒３から脱着できるようにしている。これは、例えば、有色透明のものや、他の形状の透明反射体５へ交換できるようにしたものである。
【００２８】
かかる構成にあって、発光面ｆの発光部分から上方に発せられた光は、上方に位置する透明反射体５の各環状入射面５１ａにほぼ垂直に入射することとなる。さらに、かかる入射光は、入射後、透明反射体５内部を上方に直進する。そして、透明反射体５の傾斜上面５２に達すると、入射光は、傾斜上面５２により入射方向に対して９０度の角度で反射し、今度は外方向へ水平に直進することとなる。そして、この反射光が、帯状放射面５１ｂから透明反射体５外へ放射されることとなる（図６参照）。
【００２９】
一方、発光面ｆの発光部分は、図５に示されるように、回転表示されているため、この回転に応じて、帯状放射面５１ｂから放射される光も帯状放射面５１ｂに沿って回転することとなる。したがって、支持円筒３を介して外部から透明反射体５を観察すると、透明反射体５内で赤色の光（赤色発光ダイオード１０による）が回転しているように見えることとなる。
【００３０】
以下、他の実施形態例の回転灯１について説明する。
透明反射体５は、上述の構成に代えて、図１０，１１に示されるように、支持円筒３と一体成形させた構成としても良い。すなわち、支持円筒３に透明反射部５ａが形成される構成となる。勿論、かかる透明反射部５ａの外形は、上述の透明反射体５と同様の形状である。
【００３１】
また、図１２に示されるように、透明反射部５ａを備えた支持円筒３、及び発光ダイオード１０が植設された円形基板１１を鉛直方向に複数積層してなる回転灯１としても良い。かかる構成にあっては、発光装置２の裏面からランプカバー４の頂部まで貫かれた、ボルト止め用の貫通孔２０を透明反射部５ａ等に設け、長尺状のボルト２１ａ及びナット２１ｂにより、発光装置２、支持円筒３、ランプカバー４とを一体的に固定している。
【００３２】
また、図１３，１４に示されるように、透明反射体５の傾斜上面５２を、湾曲形状としても良い。そして、この湾曲に応じて、環状入射面５１ａと帯状放射面５１ｂの発光面ｆに対する角度を適宜変更している。かかる構成とすることにより、これまでに述べた４５度で傾斜した構成とは異なる態様で入射光が傾斜上面５２で反射することとなるから、異なる点灯態様が実現できる。
【００３３】
さらに、図１５〜図１７に示されるように、透明反射部５ａの傾斜上面５２を、中心Ｏから上端縁に向かって放射状に形成された、複数の凹面２３を備えた構成としても良い。一方、図１８〜図２０に示されるように、透明反射部５ａの傾斜上面５２を、中心Ｏから上端縁に向かって放射状に形成された、複数の凸面２４を備えた構成としても良い。かかる構成とすることにより、光り方にアクセントがつき、興趣ある点灯態様を実現できる。なお、図１７，２０にあって、透明反射部５ａは透明材料からなるため、傾斜上面５２に表れる稜線が、外部から視認できる。
【００３４】
なお、支持円筒３、及び透明反射体５の横断面は、円形のほか、多角形であっても良い。
【００３５】
また、発光ダイオード１０を円形基板１１に植設する配列態様は、適宜変更可能である。また、発光部分の回転スピードは適宜変更可能である。また、図５に示す構成に代えて、複数の発光ダイオード群１２が回転表示される構成としても良い。さらに、発光ダイオード群１２ごとに異なる色の発光ダイオード１０を植設した構成としても良い。かかる構成とすることにより多様な点灯態様とすることができる。
【図面の簡単な説明】
【００３６】
【図１】支持円筒３のみ切断して示す、回転灯１の正面図である。
【図２】回転灯１の平面図である。
【図３】回転灯１の底面図である。
【図４】円形基板１１の平面図である。
【図５】円形基板１１の点灯態様を示す説明図である。
【図６】回転灯１の縦断面図である。
【図７】透明反射体５を実線で示す、回転灯１の正面図である。
【図８】透明反射体５の平面図である。
【図９】透明反射体５の底面図である。
【図１０】透明反射部５ａを備える支持円筒３の縦断面図である。
【図１１】透明反射部５ａを備える支持円筒３を実線で示す、支持円筒３の正面図である。
【図１２】他の実施形態例にかかる回転灯１の縦断面図である。
【図１３】他の実施形態例にかかる透明反射部５ａを備える支持円筒３の縦断面図である。
【図１４】他の実施形態例にかかる透明反射部５ａを備える支持円筒３を実線で示す、支持円筒３の正面図である。
【図１５】他の実施形態例にかかる透明反射部５ａを備える支持円筒３の平面図である。
【図１６】他の実施形態例にかかる透明反射部５ａを備える支持円筒３を実線で示す、支持円筒３の縦断面図である。
【図１７】他の実施形態例にかかる透明反射部５ａを備える支持円筒３を実線で示す、支持円筒３の正面図である。
【図１８】他の実施形態例にかかる透明反射部５ａを備える支持円筒３の平面図である。
【図１９】他の実施形態例にかかる透明反射部５ａを備える支持円筒３を実線で示す、支持円筒３の縦断面図である。
【図２０】他の実施形態例にかかる透明反射部５ａを備える支持円筒３を実線で示す、支持円筒３の正面図である。
【符号の説明】
【００３７】
１  回転灯
２  発光装置
３  支持円筒
５  透明反射体
５ａ  透明反射部
１０  発光ダイオード
５１  側周面
５１ａ  環状入射面
５１ｂ  帯状放射面
５２  傾斜上面
ｆ  発光面
【図１】
2005044738.tif 000003
【図２】
2005044738.tif 000004
【図３】
2005044738.tif 000005
【図４】
2005044738.tif 000006
【図５】
2005044738.tif 000007
【図６】
2005044738.tif 000008
【図７】
2005044738.tif 000009
【図８】
2005044738.tif 000010
【図９】
2005044738.tif 000011
【図１０】
2005044738.tif 000012
【図１１】
2005044738.tif 000013
【図１２】
2005044738.tif 000014
【図１３】
2005044738.tif 000015
【図１４】
2005044738.tif 000016
【図１５】
2005044738.tif 000017
【図１６】
2005044738.tif 000018
【図１７】
2005044738.tif 000019
【図１８】
2005044738.tif 000020
【図１９】
2005044738.tif 000021
【図２０】
2005044738.tif 000022